(57)【要約】    【課題】  光源から発する光の波長を変えることなく、該当する色をドロップアウトすること等を可能とした画像読取システムの制御方法を提供する。    【解決手段】  画像読取装置は、画像読取部２０４、色情報記憶部２０７、判断部２０８、指定色ドロップアウト部２０９、画素データ変換部２１０を備える。外部制御装置は、色情報設定部２１２、アプリケーション２１３を備える。判断部２０８は、設定された色情報を基に、原稿から読み取った画像データがドロップアウトカラーか否かを画素毎に判断し、変換する画素を指示する。画素データ変換部２１０は、指示された画素を特定の値に変換する。指定色ドロップアウト部２０９は、原稿から読み取った画像データから選択された画素に対し設定された、ドロップアウトカラーと該ドロップアウトカラーの対象範囲を示すマージンから構成される色情報に基づく指定色をドロップアウトする。【選択図】      図１
2006165685.tif 000002
【特許請求の範囲】
【請求項１】
原稿画像に含まれる指定色を読取画像データとして出力しないドロップアウト機能を備えた画像読取システムの制御方法であって、
彩度及び明度を指定せずに色相のみにマージンを持たせてドロップアウトカラーとして指定する指定ステップと、
前記指定ステップにおいて指定されたドロップアウトカラーを読取画像データからドロップアウトさせるドロップアウトステップと、
を有することを特徴とする制御方法。
【請求項２】
前記指定ステップでは、前記ドロップアウトカラーを色相にマージンを持たせた色空間として指定し、前記ドロップアウトステップでは、前記色空間に含まれる画像データをドロップアウトさせることを特徴とする請求項１記載の制御方法。
【請求項３】
原稿から読み取られた画像データがドロップアウトカラーか否かを画素ごとに判断し、変換する画素を指示する判断ステップと、
前記判断ステップにより指示された画素を特定の値に変換する画素データ変換ステップとを更に有することを特徴とする請求項１記載の制御方法。
【請求項４】
前記ドロップアウトカラーとして指定された色相の画像データを、指定された色相以外の色に変換する色変換ステップを更に有することを特徴とする請求項１記載の制御方法。
【請求項５】
原稿画像に含まれる指定色を読取画像データとして出力しないドロップアウト機能を備えた画像読取システムであって、
彩度及び明度を指定せずに色相のみにマージンを持たせてドロップアウトカラーとして指定し、指定されたドロップアウトカラーを読取画像データからドロップアウトさせることを特徴とする画像読取システム。
【請求項６】
前記ドロップアウトカラーを色相にマージンを持たせた色空間として指定し、前記色空間に含まれる画像データをドロップアウトさせることを特徴とする請求項５記載の画像読取システム。
【請求項７】
原稿から読み取られた画像データがドロップアウトカラーか否かを画素ごとに判断し、ドロップアウトカラーと判断した画素を特定の値に変換することを特徴とする請求項５記載の画像読取システム。
【請求項８】
前記ドロップアウトカラーとして指定された色相の画像データを、指定された色相以外の色に変換することを特徴とする請求項５記載の画像読取システム。
【請求項９】
原稿画像に含まれる指定色を読取画像データとして出力しないドロップアウト機能を備えた画像読取システムの制御方法をコンピュータに実行させるプログラムであって、
彩度及び明度を指定せずに色相のみにマージンを持たせて指定されたドロップアウトカラーを読取画像データからドロップアウトさせるモジュールを備えたことを特徴とするプログラム。
【発明の詳細な説明】
【技術分野】
【０００１】
本発明は、任意のドロップアウトカラーを設定可能な画像読取システムの制御方法、画像読取システム、及びプログラムに関する。
【背景技術】
【０００２】
近年、スキャナ或いはＯＣＲ（Optical Character Reader：光学的文字読取装置）等の画像読取装置においては、カラー原稿を読み取る際に、ある特定の色（ドロップアウトカラー）を読取画像データとして出力せず、それ以外の色を読み取るドロップアウト機能を備えた機種がある。画像読取装置のドロップアウト機能は、不要な文字または罫線等を読み取りたくない場合等によく用いられる。原稿上に読み取り不要な文字または罫線等をドロップアウトカラーで印刷または記入しておくと、画像読取部ではこれらの文字または罫線等を読み取らない。
【０００３】
ところで、近年、複写機やプリンタの性能向上に伴い、原稿から読み取った画像を多種多様な色で印刷媒体上に印刷する場合が多くなってきている。それに伴い、原稿の画像読み取り時に、様々な色をドロップアウト（以後、中間色ドロップアウトと呼称する）させる画像読取装置も登場している。例えば、スキャンして得た画像データからドロップアウトしたい色を選択して、その選択した色をドロップアウトする方法が提案されている（例えば、特許文献１参照）。
【特許文献１】特開平４−２５３４７３号公報
【発明の開示】
【発明が解決しようとする課題】
【０００４】
しかし、原稿の印刷濃度にムラがあったり、原稿に汚れがある場合や原稿が変色したり褪色が生じている場合には、HSV（色相、彩度、明度）などの表示系でいうと、彩度S、明度Vが一致しなくなる。このため、該当する色の部分のすべてをドロップアウトさせることができず、不要な文字や罫線等が読み取られたり、逆に必要な文字や罫線等を読み取れなくなったりするという問題が発生する。
【０００５】
本発明の目的は、原稿の印刷濃度にムラがあったり、原稿に汚れがある場合や、原稿が変色したり褪色が生じたりしても、該当する色の部分のすべてを容易にドロップアウトすること等を可能とした画像読取システムの制御方法、画像読取システム、及びプログラムを提供することにある。
【課題を解決するための手段】
【０００６】
上述の目的を達成するために、本発明は、原稿画像に含まれる指定色を読取画像データとして出力しないドロップアウト機能を備えた画像読取システムの制御方法であって、彩度及び明度を指定せずに色相のみにマージンを持たせてドロップアウトカラーとして指定する指定ステップと、前記指定ステップにおいて指定されたドロップアウトカラーを読取画像データからドロップアウトさせるドロップアウトステップと、を有することを特徴とする。
【発明の効果】
【０００７】
本発明によれば、原稿の印刷濃度や、汚れ或いは変色や褪色が生じて彩度や明度が異なった原稿でも、不要な文字または罫線等が読み取られることを解消し、必要な文字または罫線等を読み取ることができるという効果がある。
【発明を実施するための最良の形態】
【０００８】
以下、本発明の実施の形態を図面に基づき説明する。
【０００９】
［第１の実施の形態］
図１は、本発明の第１の実施の形態に係る画像読取装置及び外部制御装置からなる画像読取システムの基本構成を示すブロック図である。
【００１０】
図１において、画像読取装置は、ＣＰＵ２０１、ＲＡＭ２０２、ＲＯＭ２０３、画像読取部２０４、画像記憶部２０５、データ転送部２０６、色情報記憶部２０７、判断部２０８、指定色ドロップアウト部２０９、画素データ変換部２１０を備えている。外部制御装置は、通信部２１１、色情報設定部２１２、アプリケーション２１３を備えている。
【００１１】
まず、画像読取装置の各部について説明する。画像読取装置は、指定色を読み取らずそれ以外の色を読み取るドロップアウト機能を備えている。ＣＰＵ２０１は、ＲＯＭ２０３に格納されたプログラムに従って画像読取装置全体を制御する。ＲＡＭ２０２は、ＣＰＵ２０１の作業領域やデータの一時記憶領域として使用される。ＲＯＭ２０３は、プログラムや固定データを格納する。画像読取部２０４は、白色光の光源及びカラーセンサから構成されており、光源の白色光を原稿に照射し、原稿からの反射光をカラーセンサで受光し、受光した反射光を電気信号（電圧）に光電変換することで、ＲＧＢの各成分のアナログの画像データを出力する画像読取動作を行う。画像読取部２０４については図２を参照して後述する。
【００１２】
画像記憶部２０５は、画像読取部２０４により原稿から読み取られた画像データを記憶する。データ転送部２０６は、画像記憶部２０５に記憶された画像データ等を外部制御装置に転送する。色情報記憶部２０７は、外部制御装置の色情報設定部２１２により設定された色情報を記憶する。色情報は、色相とマージンとから構成されている。色情報については図５及び図６を参照して後述する。
【００１３】
判断部２０８は、色情報記憶部２０７に記憶された設定された色情報を基に、画像読取部２０４により原稿から読み取った画像データがドロップアウトカラーか否かを１画素ずつ判断し、画素データ変換部２１０に対して、変換する画素（設定された色情報を有する画素と、該画素に近接した所定範囲の色空間にある色情報を有する画素）を指示する。判断部２０８の判断方法については図７を参照して後述する。
【００１４】
画素データ変換部２１０は、判断部２０８から変換するように指示された画素に対して、その画素の色情報のＲＧＢ各成分を特定の値（例えば０xff等）に変換する。例えば、色相H=０度をドロップアウトカラーに設定した場合、この色情報を有する画素に対しては、RGBデータを（２５５,２５５,２５５）に変換する。
【００１５】
指定色ドロップアウト部２０９は、２値化回路から構成されており、外部制御装置の色情報設定部１１２により設定された色情報に基づく指定色をドロップアウトする処理を行う。指定色ドロップアウト部２０９については図３を参照して後述する。
【００１６】
次に、外部制御装置の各部について説明する。外部制御装置は、例えばパーソナルコンピュータ（ＰＣ）から構成されており、ＣＰＵがＲＯＭ或いは外部記憶装置（以上不図示）に格納されたプログラムを実行することにより画像読取装置を制御する。通信部２１１は、画像読取装置のデータ転送部２０６とデータ通信を行う。色情報設定部２１２は、ドロップアウトしたい色を指定する。アプリケーション２１３は、画像データを読み取る際に使用する。
【００１７】
図２は、画像読取装置の画像読取部２０４の概略構成を示す構成図である。
【００１８】
図２において、画像読取部２０４は、白色光の光源１２１とカラーセンサ１２３を備えている。光源１２１は、原稿台１２２上に載置された原稿に光を照射する。原稿の反射光はカラーセンサ１２３に入力される。カラーセンサ１２３は、原稿から受光した反射光を電気信号（電圧）に光電変換し、ＲＧＢの各成分のアナログの画像データを出力する。
【００１９】
図３は、画像読取装置の指定色ドロップアウト部２０９の構成を示すブロック図である。
【００２０】
図３において、指定色ドロップアウト部２０９は、２値化回路１３１と比較器１３２を備えている。２値化回路１３１は、画素データ変換部２１０により変換された画像データの各画素ＲＧＢデータ（２４bit）を、公知の変換方法により輝度データ（８bit）に変換する。比較器１３２は、輝度データと予め設定されているスライスレベルとを比較し、比較結果に基づいて輝度データを白または黒に２値化することで、指定色をドロップアウトする処理を実現している。
【００２１】
外部制御装置において、ＣＰＵは、ＲＯＭ或いは外部記憶装置（以上不図示）に格納されたプログラムに基づき図７のフローチャートに示す処理を実行する。アプリケーション２１３は、画像読取装置から取得した画像データや色情報設定ダイアログボックス（以下色情報設定ダイアログと略称する）を表示部（不図示）に表示する（図８参照）。
【００２２】
図８は、外部制御装置の表示部に表示される色情報設定ダイアログを示す図である。
【００２３】
図８において、色情報設定ダイアログには、スタートボタン８０１、ドロップアウトボタン８０２、色情報設定ボタン８０３、色相設定領域８０４、マージン設定領域８０５が表示される。
【００２４】
スタートボタン８０１は、画像読取装置に原稿の読み取り開始を指示するためのボタンである。ドロップアウトボタン８０２は、指定色をドロップアウトするか否かを指示するためのボタンである。色情報設定ボタン８０３は、画像読取装置に対するドロップアウトカラー及びマージンの転送を指示するためのボタンである。色相設定領域８０４は、色相を設定するためのものである。マージン設定領域８０５は、後述のマージンを設定するためのものである。
【００２５】
次に、画像読取装置の色情報記憶部２０７に記憶された色情報について図４を基に説明する。
【００２６】
図４（ａ）は画像読取装置の色情報記憶部２０７に記憶された色情報の色相とマージンを示す図、図４（ｂ）はドロップアウトカラーと判断する領域を示す図である。本実施の形態では、色相Hは  ０度から360度、０度が赤、120度が緑、240度が青とする。
【００２７】
図４において、色情報の色相は、色相 H ＝ ０度と設定されている。また、マージンは、Margin＝５度と設定されている。マージンは、０度を中心に前後５度の範囲がドロップアウトカラーの対象になることを示すものである。
【００２８】
つまり、色相Hが、Hmin＝−５度、Hmax＝５度の範囲にある画素データをドロップアウトカラーと判断していることになる。
【００２９】
また、彩度S、明度Vについては考慮していない。
【００３０】
即ち、マージンを用いて、かつ、彩度S、明度Vを考慮しないことで、ドロップアウトカラーを点ではなく色空間として判断することができる。マージンを用いず、彩度S、明度Vを限定した場合は、色空間ではなく色平面で示される点だけがドロップアウトカラーとして判断される。これに対して、マージンを用いて、彩度S、明度Vを限定しない場合は、色空間がドロップアウトカラーとして判断される（図５参照）。
【００３１】
図５（ａ）はドロップアウトカラーを３次元座標上の色平面として判断した場合を示す図、図５（ｂ）はドロップアウトカラーを３次元座標上の色空間として判断した場合を示す図である。
【００３２】
図５において、（ａ）では、色相Hは０度、彩度SはS1<S<S2、明度VはV1<V<V2の範囲にある点A4、A5、A6、A7を頂点にした平面で示される点だけがドロップアウトカラーとして判断される。他方、（ｂ）では、点B0、B1、B2、B3,、B4、B5を頂点にした色空間がドロップアウトカラーとして判断される。
【００３３】
例えば、ドロップアウトカラーを色相H＝０度で示される赤の平面点として設定した場合、原稿が汚れたり、褪色したりして、彩度Sや明度Vが一定していない赤っぽい点は、ドロップアウトカラーの対象にならない場合がある。
【００３４】
これに対して、例えばマージンを用いたり、彩度S、明度Vを考慮しなければ、色相H=0の赤い点として設定されたドロップアウトカラーは、色空間として判断され、汚れたり、褪色して変色した赤っぽい点は、ドロップアウトカラーの色空間内に入るためドロップアウトされる。ただし、彩度S、明度Vを考慮しないとあるが、まったく考慮しないと、グレースケール、またはグレースケールに近い画像データまで、ドロップアウトカラーと判断してしまうので、グレースケール、またはグレースケールに近いデータに関しては、ドロップアウトカラーの対象にしていない。その判断は後述する。
【００３５】
次に、画像読取装置の判断部２０８により原稿の読取画像がドロップアウトカラーか否かを判断する判断方法について図６を基に説明する。
【００３６】
図６は、画像読取装置の判断部２０８の構成を示すブロック図である。
【００３７】
図６において、図１の判断部２０８は、比較器Gray２２１、変換器２２２、比較器H２２３、ＡＮＤ回路２２４を備えている。比較器Gray２２１には、画像データRin、Gin、Binが入力される。比較器Gray２１１は、入力された画像データがGrayであるか否かを判断して、Grayと判断したとき出力が０になる。判断基準は、入力データRin、Gin、Binのそれぞれの値がほぼ等しくなるときである（例えば、８bitデータ中上位６bitが等しい場合など）。
【００３８】
変換器222は、画像データRin、Gin、Binを、公知の変換方法により、色相Hに変換する。色情報記憶部２０７に記憶された色情報の値を基に計算されたHmin、Hmaxと、変換器２２２から出力される色相Hinが入力される。比較器H２２３は、Hmin≦Hin≦Hmaxを満たすと出力は１になる。比較器Gray２２１と比較器H２２３のそれぞれの出力がＡＮＤ回路２２４に入力されている。ＡＮＤ回路２２４への全ての入力が１のときに出力が１となり、当該画像がドロップアウトカラーであると判断される。
【００３９】
次に、上記構成を有する本実施の形態の外部制御装置及び画像読取装置の動作について図７、図１１を参照しながら説明する。
【００４０】
図７は、外部制御装置の動作を示すフローチャートである。
【００４１】
図７において、まず、ユーザが外部制御装置の操作部により所定操作を行うことでアプリケーション２１３を起動する。アプリケーション２１３の起動に伴い、外部制御装置の表示部（不図示）には、画像読取装置の読取動作開始を指示するためのスタートボタンを有するダイアログが表示される。ユーザがスタートボタンを押下して読取動作開始とともにドロップアウトすることを指示すると（ステップＳ１、ステップＳ２でともにＹＥＳ）、外部制御装置は通信部２１１により画像読取装置のデータ転送部２０６に読取開始指示情報とドロップアウト指示情報と色情報を送信する（ステップＳ３）。
【００４２】
読取動作を開始する前に、あらかじめ、アプリケーション２１３が表示部に表示する色情報設定ダイアログで、色相設定とマージン設定をしておく。
【００４３】
あらかじめ設定しておいた上記色情報が記憶された後、画像読取装置は原稿の読取を開始する（ステップＳ４）。
【００４４】
図１１は、画像読取装置の動作を示すフローチャートである。
【００４５】
図１１において、画像読取装置のＣＰＵ２０１は外部制御装置から転送された色情報を色情報記憶部２０７に格納すると共に、外部制御装置からの読取開始指示に基づき画像読取部２０４により原稿の読取動作を開始する（ステップＳ２１）。次に、判断部２０８により原稿から読み取った画像データに対して１画素ごとにドロップアウトカラーか否かを判断し（ステップＳ２２）、画素データ変換部２１０により上述した変換方法に従って画素データを変換する（ステップＳ２３）。その後、指定色ドロップアウト部２０９により画像データにドロップアウト処理を行った後（ステップＳ２４）、画像記憶部２０５に画像データを記憶すると共に、データ転送部２０６により外部制御装置に画像データを転送する（ステップＳ２５）。
【００４６】
図７に戻り、外部制御装置は通信部２１１により転送された画像データを取得し（ステップＳ５）、アプリケーション２１３により表示部に取得した画像データを表示する（ステップＳ６）。次の読取対象原稿がない場合は（ステップＳ７でＹＥＳ）、本処理を終了する。次の読取対象原稿がある場合は（ステップＳ７でＮＯ）、上記ステップＳ５以降の動作を読取対象原稿がなくなるまで繰り返す。
【００４７】
以上説明したように、本実施の形態によれば、ドロップアウトカラーに色相Hと、マージンを用い、また、彩度S、明度Vを考慮しないようにしたため、ドロップアウトカラーを点ではなく色空間として設定するので、原稿の印刷濃度にムラがあったり、汚れ或いは変色や褪色が生じて、彩度S、明度Vが多少異なった原稿でも、不要な文字または罫線等が読み取られることを解消し、必要な文字または罫線等を読み取ることができるという効果がある。
【００４８】
［第２の実施の形態］
図９は、本発明の第２の実施の形態に係る画像読取装置及び外部制御装置からなる画像読取システムの構成を示すブロック図である。
【００４９】
図９において、画像読取装置は、ＣＰＵ３０１、ＲＡＭ３０２、ＲＯＭ３０３、画像読取部３０４、画像記憶部３０５、データ転送部３０６、色情報記憶部３０７、指定色色変換部３０８、指定色ドロップアウト部３０９を備えている。外部制御装置は、通信部３１１、色情報設定部３１２、アプリケーション３１３を備えている。
【００５０】
本実施の形態は、上述した第１の実施の形態に対して、画像読取装置に判断部２０８及び画素データ変換部２１０を設ける代わりに指定色色変換部３０８を設けた点において相違する。本実施の形態のその他の要素は、上述した第１の実施の形態（図１）の対応するものと同一なので、説明を省略する。
【００５１】
画像読取装置のＣＰＵ３０１は、ＲＯＭ３０３に格納されたプログラムに基づき図１５のフローチャートに示す処理を実行する。指定色色変換部３０８は、色情報記憶部３０７に記憶されている色情報を基にして得られる指定色を、公知のガンマテーブルのような、データを変換するための変換テーブル（以下ルックアップテーブル：ＬＵＴ）を参照することにより、指定色以外の色に変換する。即ち、指定色色変換部３０８は、外部制御装置の色情報設定部３１２により設定された色情報を有する画素と、該画素に近接した所定範囲の色空間にある色情報を有する画素を、指定色以外の色に変換する。ここで、指定色色変換部３０８における色変換方法について図１０を例に挙げて説明する。
【００５２】
図１０（ａ）は画像読取装置の指定色色変換部３０８の構成を示すブロック図、図１０（ｂ）は１画素の色情報を示す図、図１０（ｃ）はＬＵＴを示す図である。
【００５３】
図１０において、指定色色変換部３０８は、入力される画素の色情報をＲ、Ｇ、ＢからＲ'、Ｇ'、Ｂ'に変換する変換回路３２１を備えている。
【００５４】
説明を簡単にするために、例えば１画素をＲＧＢ３bitカラーで表すことにする。１画素をＲＧＢ３bitカラーで表すと、１画素の色情報は、図１０（ｂ）に示すように立方体の各頂点Ｄ０〜Ｄ７の８通りになる。例えばドロップアウトの指定色をＤ１に設定したとすると、ＬＵＴは、図１０（ｃ）に示すようにＤ１のＧ成分とＢ成分だけが０から１に変換され（図示の斜線部分）、残りはそのままのデータとなるようなＬＵＴになる。
【００５５】
指定色色変換部３０８は、図１０（ａ）に示すように入力される画素の色情報を上記ＬＵＴを参照して変換する（Ｒ、Ｇ、Ｂ→Ｒ'、Ｇ'、Ｂ'）。従って、指定色色変換部３０８は、Ｄ１以外の色情報を有する画素に対しては全く色変換を行わずに、ドロップアウトの指定色であるＤ１の色情報を有する画素だけを色変換する。つまり、指定色色変換部３０８で参照するＬＵＴを作成することによって、任意の中間色ドロップアウトが可能になる。
【００５６】
例えば１画素２４bitカラーの場合を考えてみる。色情報記憶部３０７に、色情報のドロップアウトカラーが色相H＝０度、マージンMargin=5度と記憶されていたとする。マージンは、上述したように、ドロップアウトカラーを点から色空間にする意味がある。この例で言うと、ドロップアウトカラーの対象になるのは、色相Hが、−5度から＋５度までの色空間になる（図５（ｂ）参照）。従って、ＬＵＴは、色相Hが−５度から＋５度までの色空間にある色情報を有する画素に対して色情報を変換するようなＬＵＴになる。
【００５７】
ＬＵＴ作成に関しては、画像読取装置の指定色色変換部３０８で色変換処理を行う前にＣＰＵ３０１でＬＵＴ作成を行うか、或いは、外部制御装置側でＬＵＴ作成を行ってから画像読取装置にＬＵＴを転送するようにしてもよい。
【００５８】
次に、上記構成を有する本実施の形態の外部制御装置及び画像読取装置の動作について図７及び図１２を参照しながら説明する。尚、上述した第１の実施の形態と共通する個所は説明を簡略化または省略する。
【００５９】
図７において、ユーザが外部制御装置でスタートボタンを押下すると（ステップＳ１でＹＥＳ）、外部制御装置から画像読取装置への読取開始指示情報の送信に伴い、画像読取装置は原稿の読取動作を開始する。ユーザがドロップアウトを指示すると（ステップＳ２でＹＥＳ）、外部制御装置は画像読取装置にドロップアウトするべき色情報を送信する（ステップＳ３）。その後、読取開始指示をする（ステップＳ４）。
【００６０】
図１２は、画像読取装置の動作を示すフローチャートである。
【００６１】
図１２において、画像読取装置のＣＰＵ３０１は外部制御装置から転送された色情報を色情報記憶部３０７に格納すると共に、外部制御装置からの読取開始指示に基づき画像読取部３０４により原稿の読取動作を開始する（ステップＳ３１）。次に、原稿から読み取った画像データを指定色色変換部３０８により上述した変換方法によって色変換する（ステップＳ３２）。その後、指定色ドロップアウト部３０９により画像データにドロップアウト処理を行った後（ステップＳ３３）、画像記憶部３０５に画像データを記憶すると共に、データ転送部３０６により外部制御装置に画像データを転送する（ステップＳ３４）。
【００６２】
図７に戻り、外部制御装置は画像読取装置から画像データを取得し（ステップＳ５）、画像データを表示する（ステップＳ６）。次の読取対象原稿がない場合は（ステップＳ７でＹＥＳ）、本処理を終了する。次の読取対象原稿がある場合は（ステップＳ７でＮＯ）、上記ステップＳ５以降の動作を読取対象原稿がなくなるまで繰り返す。
【００６３】
以上説明したように、本実施の形態によれば、指定色色変換部３０８により、ドロップアウトの指定色以外の色情報を有する画素に対しては全く色変換を行わずに、ドロップアウトの指定色の色情報を有する画素だけを色変換するので、任意の中間色ドロップアウトが可能になるという効果がある。
【００６４】
［他の実施の形態］
上記第１及び第２の実施の形態では、選択した画素の色情報を設定する色情報設定部を外部制御装置に設ける構成としたが、これに限定されるものではなく、色情報設定部を画像読取装置に設ける構成としてもよい。
【００６５】
上記第１及び第２の実施の形態では、原稿の読取画像の色がドロップアウトカラーか否かを判断する判断部、変換対象画素の色情報の成分を変換する画素データ変換部、指定色を指定色以外の色に変換する指定色色変換部を画像読取装置に設ける構成としたが、これに限定されるものではなく、判断部、画素データ変換部、指定色色変換部を画像読取装置に設ける構成としてもよい。
【００６６】
上記第１及び第２の実施の形態では、ドロップアウトカラーを１色だけ設定した例を挙げたが、これに限定されるものではなく、ドロップアウトカラーを複数色設定しても構わない。
【００６７】
上記第１及び第２の実施の形態では、色情報設定部において選択画素の色情報を色相Hで設定した例を挙げたが、これに限定されるものではなく、HSV成分以外で設定しても構わない。
【００６８】
上記第１及び第２の実施の形態では、画像読取装置の適用形態については言及しなかったが、特定のものへの適用に限定されるものではなく、イメージスキャナ、ＯＣＲ等の各種形態に適用することができる。
【００６９】
上記第１及び第２の実施の形態では、画像読取装置について説明したが、画像読取装置のみへの適用に限定されるものではなく、本発明の画像読取装置の機能を備えた各種の画像処理装置（複写機、複合機、ファクシミリ等）に適用することができる。
【００７０】
また、本発明の目的は、実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【００７１】
この場合、記憶媒体から読み出されたプログラムコード自体が前述した実施の形態の機能を実現することになり、そのプログラムコード及び該プログラムコードを記憶した記憶媒体は本発明を構成することになる。
【００７２】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードをネットワークを介してダウンロードしてもよい。
【００７３】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００７４】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれる。
【図面の簡単な説明】
【００７５】
【図１】本発明の第１の実施の形態に係る画像読取装置及び外部制御装置からなる画像読取システムを示すブロック図である。
【図２】画像読取装置の画像読取部の概略構成を示す構成図である。
【図３】画像読取装置の指定色ドロップアウト部の構成を示すブロック図である。
【図４】（ａ）は画像読取装置の色情報記憶部に記憶された色情報のドロップアウトカラーとマージンを示す図、（ｂ）はドロップアウトカラーと判断する範囲を示す図である。
【図５】（ａ）はドロップアウトカラーを３次元座標上の点として判断した場合を示す図、（ｂ）はドロップアウトカラーを３次元座標上の色空間として判断した場合を示す図である。
【図６】画像読取装置の判断部の構成を示すブロック図である。
【図７】外部制御装置の動作を示すフローチャートである。
【図８】外部制御装置の表示部に表示される色情報設定ダイアログを示す図である。
【図９】本発明の第２の実施の形態に係る画像読取装置及び外部制御装置からなる画像読取システムの構成を示すブロック図である。
【図１０】（ａ）は画像読取装置の指定色色変換部の構成を示すブロック図、（ｂ）は１画素の色情報を示す図、（ｃ）はＬＵＴを示す図である。
【図１１】画像読取装置の動作を示すフローチャートである。
【図１２】画像読取装置の動作を示すフローチャートである。
【符号の説明】
【００７６】
２０４、３０４  画像読取部
２０７、３０７  色情報記憶部
２０８  判断部（判断手段に対応）
２０９、３０９  指定色ドロップアウト部（指定色ドロップアウト手段に対応）
２１０  画素データ変換部（画素データ変換手段に対応）
２１２、３１２  色情報設定部
２１３、３１３  アプリケーション
３０８  指定色色変換部（指定色色変換手段に対応）
【図１】
2006165685.tif 000003
【図２】
2006165685.tif 000004
【図３】
2006165685.tif 000005
【図４】
2006165685.tif 000006
【図５】
2006165685.tif 000007
【図６】
2006165685.tif 000008
【図７】
2006165685.tif 000009
【図８】
2006165685.tif 000010
【図９】
2006165685.tif 000011
【図１０】
2006165685.tif 000012
【図１１】
2006165685.tif 000013
【図１２】
2006165685.tif 000014